(57)【特許請求の範囲】
【請求項１】
二枚の刃体をセンター軸で支持しセンター軸よりも基方の把持柄の開閉動作によって木の枝などを切断する剪定鋏において、
一方の把持柄の柄尻部分に刃体の開閉方向に回動し、把持柄の長手の延長方向に回動させたロック解除位置と、他方の把持柄方向に向けて回動させたロック位置の二つの位置を選択的に保持するべくバネによって付勢するとともに係止孔を形成した係止片を軸着し、
他方の把持柄の柄尻部分は、係止片を軸着する把持柄との対向面に、傾斜するガイド面を形成するとともに、該ガイド面に把持柄の長手方向に突出する掛け爪を設け、
一方の把持柄に軸着した係止片をロック位置に回動させた状態で把持柄の回動操作によって刃体を閉じるとき、係止片が前記他方の把持柄の柄尻部分に形成したガイド面に沿って回動し、ガイド面に形成した掛け爪と係止片に形成した係止孔が係合することを特徴とする剪定鋏のロック機構。
【請求項２】
把持柄の柄尻部分に軸着する係止片は、把持柄の側面幅よりも狭い幅の板状とし、該板状とした係止片の一側方に柄尻の側面幅から突出する指掛け部を形成してなる請求項１記載の剪定鋏のロック機構。
【請求項３】
把持柄の内側面に溝を形成し、この溝に係止片の基端部分が嵌り込んだ状態で係止片を軸着するとともに、溝内に板バネを配置し板バネの先端部分を係止片の基端部分に押し付けるように当接させ、板バネが当接する係止片の基端部に把持柄の延長方向に回動した位置に保持するロック解除位置当接面と、対向する把持柄の方向に回動させた位置に保持するロック位置当接面を形成したことを特徴とする請求項１又は２記載の剪定鋏のロック機構。
【発明の詳細な説明】
【０００１】
【発明の属する技術分野】
この発明は、二枚の刃体をセンター軸で支持しセンター軸よりも基方の把持柄の開閉動作によって木の枝などを切断する剪定鋏において、一対の刃体を閉じた状態に保持させるロック機構に関する発明である。
【０００２】
【従来の技術】
二枚の刃体をセンター軸で支持し、基方の把持柄の開閉動作によって木の枝などを切断する従来の剪定鋏においても、一対の刃体を閉じた状態に保持させるロック機構は採用されている。従来のロック機構として、把持柄の基端部分に係止ベルトを設けておき閉じた状態でベルトを掛ける方法や、図８に示すように一方の把持柄Ａの基端部に刃体の開閉方向に回動するフック杆Ｃを軸着し、フック杆Ｃの先端に形成した掛け爪Ｄを他方の把持柄Ｂの柄尻Ｅに係止させる方法が知られている。
【０００３】
【発明が解決しようとする課題】
従来のように、一対の刃体を閉じた状態で把持柄の基端部にベルトを掛けるストッパー機構や、図８に示すように一方の把持柄Ａの柄尻部分に設けたフック杆Ｃの掛け爪Ｄを他方の把持柄Ｂの柄尻Ｅに直接係止させる機構では、係脱の際に両手を使用する必要があるため作業能率が悪いという欠点があった。このような実情に鑑み、例えば作業中に片手がふさがっていても、もう片方の手で取り出して剪定作業を行い、あるいは剪定作業後に手に持ったままの状態でロックすることができるといった具合に、操作性に優れた剪定鋏を提供することを目的とするものである。
【０００４】
【課題を解決するための手段】
上記目的を達成するため、本発明では二枚の刃体１，２をセンター軸３で支持しセンター軸３よりも基方の把持柄４，５の開閉動作によって木の枝などを切断する剪定鋏において、一方の把持柄４の柄尻部分に刃体の開閉方向に回動し、把持柄４の長手の延長方向に回動させたロック解除位置と、他方の把持柄５方向に向けて回動させたロック位置の二つの位置を選択的に保持するべくバネによって付勢するとともに、係止孔９を形成した係止片６を軸着する。
他方の把持柄５の柄尻部分には、係止片６を軸着する把持柄４と対向する面に傾斜したガイド面5aを形成するとともに、このガイド面5aに把持柄５の長手方向に突出する掛け爪８を設ける。
そして、一方の把持柄４に軸着した係止片６をロック位置に回動させた状態で把持柄４，５の回動操作によって刃体を閉じるとき、係止片６が把持柄５の柄尻部分に形成したガイド面5aに沿って回動し、ガイド面に形成した掛け爪８と係止片６に形成した係止孔９が係合するようにする。
【０００５】
上記した把持柄４の柄尻部分に軸着する係止片６は、把持柄の側面幅よりも狭い幅の板状とし、この係止片の一側方に柄尻の側面幅から突出する指掛け部15を形成しておくとよい。
具体的な構造として、把持柄４の内側面に溝11を形成し、この溝11に係止片の基端部分が嵌り込んだ状態で係止片を軸着する。また、溝11内に板バネ12を配置し、板バネ12の先端部分を係止片６の基端部分に押し付けるように当接させる。そして、板バネ12が当接する係止片６の基端部に、把持柄４の延長方向に回動した位置に保持するロック解除位置当接面13と、対向する把持柄の方向に回動させた位置に保持するロック位置当接面14を形成する。
【０００６】
【発明の実施の形態】
以下、本発明に係る剪定鋏のロック機構の好ましい実施形態を、添付の図面に基づいて説明する。
図１は、刃体を閉じた状態の剪定鋏全体の正面図、図２は、刃体を開いた状態の剪定鋏全体の正面図である。
【０００７】
図１，図２に示す剪定鋏は、受け刃である刃体１と、切刃である刃体２をセンター軸３で回動自在に支持し、センター軸３よりも基方の把持柄４と把持柄５の開閉動作によって木の枝などを切断するために使用するものである。刃体１と把持柄４及び刃体２と把持柄５は、それぞれ一体であってもよいが、把持柄と刃体はそれぞれ別体に形成して一体的に固定している。一対の把持柄４，５には常時開放方向に付勢するバネ10を装着してあり、手を離した自然な状態では図２に示すように開放され、常に把持柄４,５を握るだけの動作によって剪定作業を行うことができる。
【０００８】
受け刃である刃体１の把持柄４の柄尻部分には、刃体の開閉方向（開閉平面）で回動する係止片６を軸７着する。一方、切刃である刃体２の把持柄５の柄尻には、把持柄５の長手方向、図面上の下方に突出する掛け爪８を形成する。この係止片６は、図１に実線で示す下方に回動させた位置から、二点鎖線で示すように把持柄５方向に回動させることができるようにする。そして、係止片６に係止孔９を形成しておくことにより、掛け爪８が係止孔９に係合し刃体を開放する方向に付勢しているバネ10の力によってロック状態が維持される。
【０００９】
把持柄４に係止片６を軸着するには、図３及び図６から理解されるように、把持柄４の内側面に溝11を形成し、この溝11に係止片６の基端部分が嵌り込んだ状態で軸７止めする。このとき溝11内にバネ、一例として板バネ12を配置し、板バネ12の先端部分を係止片６の基端部分に押し付けるように当接させている。板バネ12が当接する係止片６の基端部には、図３に示すように把持柄の延長方向、すなわち下向きに回動させたときに板バネ12の先端部が面接触するロック解除位置当接面13と、図４に示すように、把持柄５方向に回動させたときに板バネ12の先端部が面接触するロック位置当接面14を形成している。ロック位置当接面14と板バネ12の作用による係止片６の停止位置は、掛け爪８と掛合して停止する位置よりも少し内側に大きく回動した位置とする。なお、係止片６に当接させるバネは、弾性によって所定位置を保持するものであれば板バネ以外のバネであってもよい。
【００１０】
前記構成とすることにより、係止片６は図３に示す把持柄４の長手の延長方向に回動させた位置すなわちロック解除位置と、係止片６を把持柄５の方向に向けて回動させた位置、すなわちロック位置に自然と保持されることになる。なお、係止片６に形成する係止孔９は、前記ロック位置において掛け爪８と係合する位置に形成してある。図面上、係止孔９は貫通孔として記載しているが、一定の深さの盲孔であってもよい。
【００１１】
係止片６を装着する把持柄４と対向する把持柄５の柄尻内側面は、大きなアールのガイド面5aとするとともに、掛け爪８の把持柄４と対向する面を、先方に向けて係止片から離れる方向に傾斜するガイド面8b、図面上ではアール面に形成する。また、係止片６の先端は丸みを形成し滑り易くしている。これにより図５（ａ）に示すように係止片と対向する把持柄５方向に回動させた状態で、矢印で示すように把持柄４と５を閉じて行く、換言すると使用状態において把持柄を強く握り締めると、最初に係止片の先端が把持柄５のガイド面5a及び掛け爪８のガイド面8bに当接し、図５（ｂ）に矢印で示すように板バネ12の弾発力に抗して少しずつ図面上下方に回動する。最終的に、掛け爪８と係止片６の係止孔９の位置が一致し、図４に示すロック状態となる。このロック状態では、板バネ12の弾発力によって係止片６が把持柄５方向に押し付けられるとともに、把持柄４と５はバネ10によって開く方向に付勢されている。これにより、係止片６と掛け爪８の係止状態が維持され、不用意にロック状態が解除されることがない。
【００１２】
係止片６は、把持柄５の柄尻部分の幅W’よりも少し狭い幅Ｗの板状とし、一側方に指掛け部15を突出させている。これにより、ロック状態にある把持柄を握った状態で指掛け部15を任意の部分、例えば作業者自身の衣服の一部などに引っ掛けて係止片を回動させることによりロック状態を解除し、剪定作業を行うことが可能となる。指掛け部15は、係止片６の左右いずれの側面、あるいは両側面に突出させるものであってもよいが、好ましくは一側面に突出させる。指掛け部15を突出させる方向は、把持柄を握ったときに作業者に対向する方向の側面に形成しておくとよい。このようにしておくと、作業者の衣服表面などで係止片の着脱操作を行い易く、かつ不用意に周辺のものに当たってロック状態が解除されることがない。このことは、右利き用と左利き用とでは指掛け部15が反対の側方に突出することを意味する。また指掛け部は側方に突出するだけでなく、図６に15’で示すように係止片６の長手方向に延長して、把持柄５の柄尻から少し突出するものとしておくと、より使い勝手がよい。
【００１３】
このように本発明のロック機構は、回動する係止片の係止孔９と柄尻の面から突出する掛け爪８の組み合わせであり、係脱方向が把持柄５の長手方向に突出する掛け爪に対して係止孔がある板状の係止片を押し付ける方向であるため、指掛け部15を衣服の一部などに引っ掛けるといった動作で係止片を回動させ、簡単にロック状態を解除することができる。そのため、従来の剪定鋏のように必ずしも両手を使ってロック解除を行う必要がなく、剪定作業をそれだけ円滑に進めることができる。
なお、本発明を実施する剪定鋏では、把持柄４，５の柄尻が尖っているようなものではなくある程度の柄尻面、図示実施形態ではガイド面5aを含めた傾斜面となっている。
【００１４】
【発明の効果】
請求項１記載の本発明剪定鋏のロック機構によれば、一方の把持柄の柄尻部分に軸着した係止片が回動することによって、他方の把持柄の柄尻部分に形成した掛け爪に係脱される。係止杆はバネの弾性によってロック位置と、ロック解除位置の二つの位置を選択的に保持させることができ、ロック位置に保持した状態で把持柄を握るだけの操作で、簡単に掛け爪に係止片を係合させ、ロック状態とすることができる。したがって、能率的に剪定作業を進めることができる。
【００１５】
請求項２記載の発明によれば、係止片を任意の部分に押し当て、押し当てた位置を支えとして係止片を回動させ、ロック位置とロック解除位置の変更操作を容易に行うことができる。
【００１６】
請求項３記載の発明によれば、請求項１記載の発明を簡単な構造で実現することができる。ロック状態及びロック解除状態のいずれの位置においても、板バネの力によって係止片をそのときの状態を維持し、不用意にロックされ、あるいはロックが解除されるようなことを回避することができる。
【図面の簡単な説明】
【図１】刃体を閉じた状態の剪定鋏全体の正面図、
【図２】刃体を開いた状態の剪定鋏全体の正面図、
【図３】刃体を閉じたロック解除状態の把持柄の柄尻部分のみの縦断面図、
【図４】刃体を閉じたロック状態の把持柄の柄尻部分のみの縦断面図、
【図５】ロック解除状態からロック状態とする過程を示す柄尻部分の縦断面図、
【図６】ロック状態の柄尻部分を示す底面図、
【図７】ロック状態を実線で、ロック解除状態を二点鎖線で示す柄尻部分の側面図、
【図８】従来の剪定鋏のロック機構の一例を示す、柄尻部分のみの正面図。
【符号の説明】
１，２…刃体、  ３…センター軸、  ４，５…把持柄、  5a…ガイド面、  ６…係止片、  ７…軸、  ８…掛け爪、  8a…係止面、  8b…ガイド面、  ９…係止孔、  10…バネ、  11…溝、  12…板バネ、  13…ロック解除位置当接面、  14…ロック位置当接面、  15…指掛け部。
【図１】
0003712973.tif 000002
【図２】
0003712973.tif 000003
【図３】
0003712973.tif 000004
【図４】
0003712973.tif 000005
【図５】
0003712973.tif 000006
【図６】
0003712973.tif 000007
【図７】
0003712973.tif 000008
【図８】
0003712973.tif 000009